(57)【要約】【課題】迅速に医療機器の設置場所を案内することができる医療機器設置場所案内装置及び医療機器設置場所案内システムを提供すること。【解決手段】対象者の生体情報を検出する生体情報検出部２３を有する端末本体部２０と、対象者の位置情報を取得する位置情報取得部４３を有する案内部４０と、これら端末本体部と案内部とを着脱可能にするための着脱部１１と、を備え、案内部は、少なくとも、位置情報と、特定医療機器の設置場所に関する特定医療機器設置場所情報７２に基づき、当該特定医療機器設置場所を案内する設置場所案内部５０を有すると共に、着脱部は、設置場所案内部の動作に際し、端末本体部と案内部とを相互に離脱可能な状態とする構成となっている医療機器設置場所案内装置１０。【選択図】図１
2011066861.tif 000002
【特許請求の範囲】
【請求項１】
対象者の生体情報を検出する生体情報検出部を有する端末本体部と、
当該対象者の位置情報を取得する位置情報取得部を有する案内部と、
これら端末本体部と前記案内部とを着脱可能にするための着脱部と、を備える医療機器設置場所案内装置であって、
前記案内部は、少なくとも、前記位置情報と、特定医療機器の設置場所に関する特定医療機器設置場所情報に基づき、当該前記特定医療機器設置場所を案内する設置場所案内部を有すると共に、前記着脱部は、前記設置場所案内部の動作に際し、前記端末本体部と前記案内部とを相互に離脱可能な状態とする構成となっていることを特徴とする医療機器設置場所案内装置。
【請求項２】
前記位置情報取得部により得られた現在位置情報と最も近接した前記特定医療機器設置場所情報である近接特定医療機器設置情報に基づき、前記端末案内部が、前記現在位置情報と、前記近接特定医療機器設置情報を案内部側表示部に表示し、及び／又は、前記現在位置から前記近接特定医療機器設置場所までの道程を音声で案内する構成となっていることを特徴とする請求項１に記載の医療機器設置場所案内装置。
【請求項３】
前記端末案内部の前記案内動作中に、更新された現在位置情報である最新現在位置情報と、当該最新現在位置情報と最も近接した前記特定医療機器設置情報である最新近接特定医療機器設置情報を前記案内部側表示部に表示し、及び／又は音声で案内することを特徴とする請求項１又は請求項２に記載の医療機器設置場所案内装置。
【請求項４】
前記生体情報検出部が検出した前記生体情報に基づいて、対象者の異状の有無を判断する異状判断部を有することを特徴とする請求項１又は請求項２に記載の医療機器設置場所案内装置。
【請求項５】
前記端末本体部が、対象者の病気に関する関連情報である病気関連情報を取得し、前記端末本体部側表示部に前記病気関連情報を表示することを特徴とする請求項１乃至請求項４のいずれかに記載の医療機器設置場所案内装置。
【請求項６】
前記異状判断部が前記端末本体部に形成され、前記異状判断部の異状なし情報に基づいて特定医療機器不要情報が、前記案内部に送信され、前記案内部の前記端末案内部は、この特定医療機器不要情報に基づいて前記案内動作を終了する構成となっていることを特徴とする請求項４又は請求項５に記載の医療機器設置場所案内装置。
【請求項７】
前記医療機器設置場所案内装置と通信可能な管理サーバを有し、前記管理サーバは、前記医療機器設置場所案内装置から受信した対象者の前記生体情報に基づいて、前記特定医療機器を使用すべきか否かを判断する特定医療機器使用判断部を有し、
前記特定医療機器使用判断部の結果を前記医療機器設置場所案内装置に送信することを特徴とする請求項１乃至請求項６のいずれかに記載の医療機器設置場所案内装置を有する医療機器設置場所案内システム。
【請求項８】
前記管理サーバは、救急連絡先情報及び／又は緊急連絡先情報を有し、これらの救急連絡先及び／又は緊急連絡先に対象者の異状情報を送信するか否かを判断する通知判断部を有することを特徴とする請求項７に記載の医療機器設置場所案内システム。
【請求項９】
前記位置情報取得部がＧＰＳ（全地球測位システム、Ｇｌｏｂａｌ  Ｐｏｓｉｔｉｏｎｉｎｇ  Ｓｙｓｔｅｍ）、特定医療機器がＡＥＤ（自動体外式除細動器、Ａｕｔｏｍａｔｅｄ  Ｅｘｔｅｒｎａｌ  Ｄｅｆｉｂｒｉｌｌａｔｏｒ）であることを特徴とする請求項１乃至請求項６のいずれかに記載の医療機器設置場所案内装置。
【請求項１０】
前記位置情報取得部がＧＰＳ（全地球測位システム、Ｇｌｏｂａｌ  Ｐｏｓｉｔｉｏｎｉｎｇ  Ｓｙｓｔｅｍ）、特定医療機器がＡＥＤ（自動体外式除細動器、Ａｕｔｏｍａｔｅｄ  Ｅｘｔｅｒｎａｌ  Ｄｅｆｉｂｒｉｌｌａｔｏｒ）であることを特徴とする請求項７又は請求項８のいずれかに記載の医療機器設置場所案内システム。
【発明の詳細な説明】
【技術分野】
【０００１】
本発明は、必要に応じて迅速に使用することができるように各所に配置されている例えばＡＥＤ（自動体外式除細動器、Ａｕｔｏｍａｔｅｄ  Ｅｘｔｅｒｎａｌ  Ｄｅｆｉｂｒｉｌｌａｔｏｒ）等の医療機器の配置場所まで迅速に案内することができる医療機器設置場所案内装置及び医療機器設置場所案内システムに関するものである。
【背景技術】
【０００２】
従来より、心臓疾患等を有する人の心電図等を長時間測定するための提案はなされている（例えば、特許文献１）。
一方で、このような心臓疾患等を有する人が、外出先等で発作等を起こした場合、迅速に対処できるように、各所に例えばＡＥＤが設置されている。
【先行技術文献】
【特許文献】
【０００３】
【特許文献１】特許第３７１１２３６号公報
【発明の概要】
【発明が解決しようとする課題】
【０００４】
しかし、例えば、心臓疾患等を有する人が、外出先等で発作等を起こしても、直ぐにＡＥＤ等の医療機器の設置場所が分からず、迅速にかかる医療機器を利用することができないという問題があった。
【０００５】
そこで、迅速に医療機器の設置場所を案内することができる医療機器設置場所案内装置及び医療機器設置場所案内システムを提供することを目的とする。
【課題を解決するための手段】
【０００６】
前記課題は、本発明によれば、対象者の生体情報を検出する生体情報検出部を有する端末本体部と、当該対象者の位置情報を取得する位置情報取得部を有する案内部と、これら端末本体部と案内部とを着脱可能にするための着脱部と、を備える医療機器設置場所案内装置であって、前記案内部は、少なくとも、前記位置情報と、特定医療機器の設置場所に関する特定医療機器設置場所情報に基づき、当該前記特定医療機器設置場所を案内する設置場所案内部を有すると共に、前記着脱部は、前記設置場所案内部の動作に際し、前記端末本体部と前記案内部とを相互に離脱可能な状態とする構成となっていることを特徴とする医療機器設置場所案内装置により達成される。
【０００７】
前記構成によれば、対象者の生体情報を検出する生体情報検出部を有する端末本体部と、対象者の位置情報を取得する位置情報取得部を有する案内部と、これら端末本体部と案内部とを着脱可能にするための着脱部と、を備え、案内部は、少なくとも、位置情報と、特定医療機器の設置場所に関する特定医療機器設置場所情報に基づき、当該特定医療機器設置場所を案内する設置場所案内部を有している。
このため、医療機器設置場所案内装置は、例えば異状な生体情報が検出されたことを把握することができると共に、その設置場所案内部は、現在位置から、この対象者に使用すべき特定医療機器である例えば、ＡＥＤ（自動体外式除細動器）の設置場所まで案内することができる。
したがって、迅速にＡＥＤ等の特定医療機器を対象者に使用することができ、救命処置を適切にすることができる。
【０００８】
また、前記構成では、着脱部は、設置場所案内部の動作に際し、端末本体部と案内部とを相互に離脱可能な状態とする構成となっているので、生体情報検出部を有する端末本体部を対象者が保持しつつ、介護者等が、これと分離された案内部に案内されて特定医療機器設置場所に到達することができる。
したがって、対象者の生体情報を検出しつつ、同時に、介護者等を特定医療機器設置まで案内することができる。
【０００９】
好ましくは、前記位置情報取得部により得られた現在位置情報と最も近接した前記特定医療機器設置場所情報である近接特定医療機器設置情報に基づき、前記端末案内部が、前記現在位置情報と、前記近接特定医療機器設置情報を案内部側表示部に表示し、及び／又は、前記現在位置から前記近接特定医療機器設置場所までの道程を音声で案内する構成となっていることを特徴とする医療機器設置場所案内装置である。
【００１０】
前記構成によれば、位置情報取得部により得られた現在位置情報と最も近接した特定医療機器設置場所情報である近接特定医療機器設置情報に基づき、端末案内部が、現在位置情報と、近接特定医療機器設置情報を案内部側表示部に表示し、及び／又は、現在位置から近接特定医療機器設置場所までの道程を音声で案内する構成となっている。
このため、対象者の現在位置と最も近接した場所に配置されている特定医療機器を案内部側表示部に表示、及び／又は音声で案内することができ、案内部を保持して特定医療機器を探索する介護者等は、効率よく特定医療機器に到達することができる。
【００１１】
好ましくは、前記端末案内部の前記案内動作中に、更新された現在位置情報である最新現在位置情報と、当該最新現在位置情報と最も近接した前記特定医療機器設置情報である最新近接特定医療機器設置情報を前記案内部側表示部に表示し、及び／又は音声で案内することを特徴とする医療機器設置場所案内装置である。
【００１２】
前記構成によれば、端末案内部の案内動作中に、更新された現在位置情報である最新現在位置情報と、当該最新現在位置情報と最も近接した特定医療機器設置情報である最新近接特定医療機器設置情報を案内部側表示部し、及び／又は音声で案内する構成となっている。
このため、端末案内部の案内動作中に、案内部を保持して移動している介護者等の正確な位置を把握することができ、このため、この正確な位置に最も近い場所に配置されている特定医療機器を表示、及び／又は案内することができる。
したがって、より効率よく介護者等を特定医療機器に到達させることができる。
【００１３】
好ましくは、前記生体情報検出部が検出した前記生体情報に基づいて、対象者の異状の有無を判断する異状判断部を有することを特徴とする医療機器設置場所案内装置である。
【００１４】
前記構成によれば、医療機器設置場所案内装置は、生体情報検出部が検出した生体情報に基づいて、対象者の異状の有無を判断する異状判断部を有している。
このため、医療機器設置場所案内装置は、それを保持している対象者の状態を監視することができ、心停止等の異状が発生した場合は、直ちにその異状を検知することができる構成となっている。
【００１５】
好ましくは、前記端末本体部が、対象者の病気に関する関連情報である病気関連情報を取得し、前記端末本体部側表示部に前記病気関連情報を表示することを特徴とする医療機器設置場所案内装置である。
【００１６】
前記構成によれば、端末本体部が、対象者の病気に関する関連情報である病気関連情報を取得し、端末本体側表示部に病気関連情報を表示する構成となっている。
このため、端末本体部と分離された案内部を保持している介護者等が特定医療機器を取りに行っている間に、対象者が依然保持している端末本体部の端末本体側表示部に、対象者の病気関連情報である、例えばかかりつけ病院、医師、疾患履歴等を表示させることができ、到着した例えば、救急隊員等の第３者に対して有効な情報を提供でき、より適切な救命処置を施すことができる。
【００１７】
好ましくは、前記異状判断部が前記端末本体部に形成され、前記異状判断部の異状なし情報に基づいて特定医療機器不要情報が、前記案内部に送信され、前記案内部の前記端末案内部は、この特定医療機器不要情報に基づいて前記案内動作を終了する構成となっていることを特徴とする医療機器設置場所案内装置である。
【００１８】
前記構成によれば、異状判断部が端末本体部に形成され、異状判断部の異状なし情報に基づいて特定医療機器不要情報が、案内部に送信され、案内部の端末案内部は、この特定医療機器不要情報に基づいて案内動作を終了する構成となっている。
このため、例えば、対象者が心停止から蘇生等し、異状なしとなった場合、もはやＡＥＤ等の特定医療機器の使用は不要となる。そこで、その事実を端末本体部が直ちに案内部に知らせることで、無駄な特定医療機器の探索を直ちに中止することができるようになっている。
【００１９】
好ましくは、前記医療機器設置場所案内装置と通信可能な管理サーバを有し、前記管理サーバは、前記医療機器設置場所案内装置から受信した対象者の前記生体情報に基づいて、前記特定医療機器を使用すべきか否かを判断する特定医療機器使用判断部を有し、前記特定医療機器使用判断部の結果を前記医療機器設置場所案内装置に送信することを特徴とする医療機器設置場所案内装置を有する医療機器設置場所案内システムである。
【００２０】
前記構成によれば、医療機器設置場所案内装置と通信可能な管理サーバを有し、管理サーバは、医療機器設置場所案内装置から受信した対象者の生体情報に基づいて、特定医療機器を使用すべきか否かを判断する特定医療機器使用判断部を有し、特定医療機器使用判断部の結果を医療機器設置場所案内装置に送信する構成となっている。
すなわち、対象者がＡＥＤ等の特定医療機器を使用すべきか否かの判断は、医療機器設置場所案内装置ではなく、情報量が豊富な管理サーバの特定医療機器使用判断部が実行し、その結果が医療機器設置場所案内装置へと送信されることになる。
このため、ＡＥＤ等の特定医療機器を使用すべきか否かを正確に判断するために必要な多くの情報量を携帯しない管理サーバ側に配置し、その判断をさせることで、医療機器設置場所案内装置を小型化することができ、携帯に便利な装置とすることができる。
【００２１】
好ましくは、前記管理サーバは、救急連絡先情報及び／又は緊急連絡先情報を有し、これらの救急連絡先及び／又は緊急連絡先に対象者の異状情報を送信するか否かを判断する通知判断部を有することを特徴とする医療機器設置場所案内システムである。
【００２２】
前記構成によれば、管理サーバは、救急連絡先情報及び／又は緊急連絡先情報を有し、これらの救急連絡先及び／又は緊急連絡先に対象者の異状情報を送信するか否かを判断する通知判断部を有する構成となっているので、対象者の異状に基づき必要に応じて迅速に必要な連絡先に通知することができる。
【００２３】
好ましくは、前記位置情報取得部がＧＰＳ（全地球測位システム、Ｇｌｏｂａｌ  Ｐｏｓｉｔｉｏｎｉｎｇ  Ｓｙｓｔｅｍ）、特定医療機器がＡＥＤ（自動体外式除細動器、Ａｕｔｏｍａｔｅｄ  Ｅｘｔｅｒｎａｌ  Ｄｅｆｉｂｒｉｌｌａｔｏｒ）であることを特徴とする医療機器設置場所案内装置である。
【００２４】
好ましくは、前記位置情報取得部がＧＰＳ（全地球測位システム、Ｇｌｏｂａｌ  Ｐｏｓｉｔｉｏｎｉｎｇ  Ｓｙｓｔｅｍ）、特定医療機器がＡＥＤ（自動体外式除細動器、Ａｕｔｏｍａｔｅｄ  Ｅｘｔｅｒｎａｌ  Ｄｅｆｉｂｒｉｌｌａｔｏｒ）であることを特徴とする医療機器設置場所案内システムである。
【発明の効果】
【００２５】
本発明は、迅速に医療機器の設置場所を案内することができる医療機器設置場所案内装置及び医療機器設置場所案内システムを提供することができるという利点がある。
【図面の簡単な説明】
【００２６】
【図１】本発明に係る医療機器設置場所案内装置である例えば、端末装置を有する医療機器設置場所案内システムであるＡＥＤ設置場所案内システムを示す概略図である。
【図２】図１の端末本体部の内部構成等を示す概略ブロック図である。
【図３】図１の案内部の内部構成等を示す概略ブロック図である。
【図４】図１の管理サーバの内部構成等を示す概略ブロック図である。
【図５】本実施の形態のＡＥＤ設置場所案内システムの動作等を示す概略フローチャートである。
【図６】本実施の形態のＡＥＤ設置場所案内システムの動作等を示す他の概略フローチャートである。
【図７】本実施の形態のＡＥＤ設置場所案内システムの動作等を示す他の概略フローチャートである。
【発明を実施するための形態】
【００２７】
以下、この発明の好適な実施の形態を添付図面等を参照しながら、詳細に説明する。
尚、以下に述べる実施の形態は、本発明の好適な具体例であるから、技術的に好ましい種々の限定が付されているが、本発明の範囲は、以下の説明において特に本発明を限定する旨の記載がない限り、これらの態様に限られるものではない。
【００２８】
図１は、本発明に係る医療機器設置場所案内装置である例えば、端末装置１０を有する医療機器設置場所案内システムであるＡＥＤ設置場所案内システム１を示す概略図である。
図１に示すように端末装置１は、端末本体部２０及び案内部４０を有している。
これら端末本体部２０及び案内部２０は、それぞれ、端末本体部側アンテナ２１及び案内部側通信アンテナ４２を有しており、それぞれ、携帯電話等の通信基地局２と通信可能な構成となっている。
また、通信基地局２は、インターネット網３と接続し、このインターネット網３と管理サーバ６０が通信可能に接続されているため、端末装置１０の端末本体部２０と案内部４０は、それぞれ、管理サーバ６０と通信可能となっている。
【００２９】
また、案内部４０には、地球を周回する軌道上に配置されるＧＰＳ（全地球測位システム、Ｇｌｏｂａｌ  Ｐｏｓｉｔｉｏｎｉｎｇ  Ｓｙｓｔｅｍ）衛星４ａ乃至４ｄからの信号を受信するためのＧＰＳ用アンテナ４２が備わっている。
このＧＰＳ用アンテナ４２で受信したＧＰＳ衛星４ａ等からの信号に基づいて、後述する位置情報取得部である例えばＧＰＳ装置４３が、その位置を測位する構成となっている。
【００３０】
また、図１の端末本体部２０と案内部４０とは、ロック部１１を介して連結されている。このロック部１１は、図３に示すロック開閉部１１ａの制御により、端末本体部２０と案内部４０とを着脱可能にすることができる構成となっている。このため、ロック部１１及びロック開閉部１１ａが、着脱部の一例となっている。
【００３１】
なお、本実施の形態では、案内部２０に案内部側通信用アンテナ４１と案内部側測位用アンテナ４２を設けたが、これに限らず、１本のアンテナで双方の役割を果たしてもよい。
また、本実施の形態では、位置を測位するのにＧＰＳ衛星４ａ等からの信号を受信するＧＰＳシステムを用いたが、これに限らず、携帯電話の複数のＣＤＭＡ（Ｃｏｄｅ  Ｄｉｖｉｓｉｏｎ  Ｍｕｌｔｉｐｌｅ  Ａｃｃｅｓｓ）基地局を用いて位置を測位する方式であっても構わない。
【００３２】
図２は、図１の端末本体部２０の内部構成等を示す概略ブロック図であり、図３は、図１の案内部４０の内部構成等を示す概略ブロック図である。また、図４は、図１の管理サーバ６０の内部構成等を示す概略ブロック図である。
ところで、図１に示す、端末本体部１０、案内部４０及び管理サーバ６０はそれぞれ情報を処理するためコンピュータを有しており、このコンピュータは、ＣＰＵ（Ｃｅｎｔｒａｌ  Ｐｒｏｃｅｓｓｉｎｇ  Ｕｎｉｔ）、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）等を有し、これらは、バス等を介して配置されている。
また、このバスに、図３の端末本端部２０では、図１の端末本体部側アンテナ２１と接続されている端末本体部側送受信部２２、心電図測定器２３、血流情報測定器２４、動脈血酸素飽和度測定器２５、脈波情報測定器２６、端末本体部側表示部２７、アラーム音発生装置２８等が接続されている。
このため、これらは、図２の端末本体部側制御部２９を介して動作等する構成となっている。
【００３３】
これら心電図測定器２３、血流情報測定器２４、動脈血酸素飽和度測定器２５及び脈波情報測定器２６は、生体情報検出部の一例である。すなわち、これら心電図測定器２３等は、それぞれ、センサーを有し、これらのセンサーが図１に示すように、対象者の身体に配置されている。このため、これら心電図測定器２３等は、常時、対象者の生体情報を測定できる構成となっている。対象者のＱＯＬの観点から、好ましくは、下着を兼ねた着衣に導電性シートを心電測定用電極として実装し、心電図測定器２３の一部として構成してもよい。
また、端末本体部側表示部２７は、情報を画面上で表示するディスプレイであり、アラーム音発生装置２８は、後述するように、生体情報に異状がある場合に、その事実を音声で知らせる装置である。
【００３４】
また、図３の場合は、上述のバスに、図１のロック開閉部１１ａ、上述のＧＰＳ装置４３、図１の案内部側通信用アンテナ４１と接続されている案内部側送受信部４４及びディスプレイ等である案内部側表示部４５等が接続されている。このため、これらは、図３の案内部側制御部４６を介して動作等する構成となっている。
本実施の形態では、ロック開閉部１１ａが、案内部４０側に配置されているが、本発明では、これに限らず、端末本体部２０側に配置されていても構わない。
また、図４の場合は、上述のバスに、通信用のサーバ側送受信部１６１が接続されている。このため、図４のサーバ側制御部１６２を介して動作等する構成となっている。
【００３５】
ところで、上述のバスは、すべてのデバイスを接続する機能を有し、アドレスやデータパスを有する内部パスである。ＣＰＵは所定のプログラムの処理を行う他、バスに接続されたＲＯＭ等を制御している。ＲＯＭは、各種プログラムや各種情報等を格納している。ＲＡＭは、プログラム処理中のメモリの内容を対比したり、プログラムを実行するためのエリアとしての機能を有する。
【００３６】
また、本実施の形態の端末装置１０には、携帯電話、ＰＨＳ（Ｐｅｒｓｏｎａｌ  Ｈａｎｄｙ−ｐｈｏｎｅ  Ｓｙｓｔｅｍ）及びＰＤＡ（Ｐｅｒｓｏｎａｌ  Ｄｉｇｉｔａｌ  Ａｓｓｉｓｔａｎｔ）等の携帯端末等が含まれる。
【００３７】
図５乃至図７は、本実施の形態のＡＥＤ設置場所案内システム１の動作等を示す概略フローチャートである。
以下、図５乃至図７のフローチャートに沿って、ＡＥＤ設置場所案内システム１の動作等を説明しながら図２乃至図５の各構成等についても説明する。
【００３８】
本実施の形態のＡＥＤ設置場所案内システム１では、先ず、対象者が図１の端末装置１０を装着する。具体的には、対象者の着用するベスト等に端末装置１０を取り付け、端末本体部２０の心電図測定器２３、血流情報測定器２４、動脈血酸素飽和度測定器２５、脈波情報測定器２６の各センサーを対象者の該当部位に配置する。
そして、端末装置１０のスイッチをＯＮ状態にすると、心電図測定器２３等は、対象者の生体情報の測定を開始し、その結果を図２の生体情報記憶部３２に記憶する。この測定は、対象者が移動中も行われる。
【００３９】
この状態で、図５のＳＴ１が実行される。ＳＴ１では、端末装置１０の装着者に異状があるか否かが判断される。
すなわち、ＳＴ１では、心電図測定器２３等が測定した生体情報記憶部３２内の各生体情報（心電図情報、血流情報、動脈血酸素飽和度情報、脈波情報）に異状がないか否かを判断する。
具体的には、図２の端末本体部２０の異状判断部（プログラム）３０が動作し、図２の異状判断用閾値情報記憶部３１の情報を参照して判断する。
つまり、異状判断用閾値情報記憶部３１には、心電図情報、血流情報、動脈血酸素飽和度情報、脈波情報が異状か否かを判断する閾値情報が記憶されている。例えば、心電図では、心臓の収縮で発生する電流が一時的に切れる、脚ブロックが発生したか否かが閾値情報であり、血流情報では、血流が止まることが閾値情報となり、動脈血酸素飽和度情報では、９０％以下か否かが閾値情報となり、脈波情報では、脈波を検出出来なくなることが閾値情報となる。
そして、異状判断部３０は、これらの各生体情報のいずれか一つが、各閾値情報を超えた場合に「装着者に異状あり」と判断する。
【００４０】
ＳＴ１で、「装着者に異状あり」と判断された場合、ＳＴ２へ進む。ＳＴ２では、図２の端末本体部側表示部２７に「異状あり」の文言を表示し、図２のアラーム音発生装置２８が動作して、アラーム音を鳴らすことになる。
これにより、装着者（対象者）の生体情報に異状があったことがわかり、付近に居る介護者等に装着者の異状を知らせることができる。
【００４１】
次いで、ＳＴ３へ進む。ＳＴ３では、図３の案内部４０のＧＰＳ装置４３が動作して、端末装置１０、すなわち装着者の現在位置を測位する。
具体的には、図１に示すように、例えば４つのＧＰＳ衛星４ａ、４ｂ、４ｃ、４ｄからの信号を受信して、ＧＰＳ衛星４ａ等からの距離を計算し、これらの距離情報から現在位置情報を計算する。
計算して取得した現在位置情報は、図３の現在位置情報記憶部４７に緯度及び経度情報として記憶される。
【００４２】
次いで、ＳＴ４へ進む。ＳＴ４では、図２の端末本体部２０の生体情報記憶部３２内の生体情報と、図３の案内部４０の現在位置情報４７が関連付けられて、それぞれ、端末本体部側送受信部２２及び案内部側送受信部４４を介して、図１の管理サーバ６０に送信される。
すると、管理サーバ６０は、図４のサーバ側送受信部１６１でかかる情報を受信し、装着者情報記憶部６１に、これらの生体情報及び現在位置情報を記憶する。
【００４３】
次いで、ＳＴ５へ進む。ＳＴ５では、装着者に対し処置が必要か否かが判断される。具体的には、図４の管理サーバ６０の装着者状態判断部（プログラム）６２が動作し、装着者情報記憶部６１内の生体情報と、装着者状態判断用記憶部６３内の情報に基づき判断する。
すなわち、装着者状態判断用記憶部６３内には、心電図等のデータの組み合わせ例と、その組み合わせに対応する疾患名や状態等、及び、疾患名や状態等とＡＥＤ使用との対応が情報として記憶されている。また、その場合の救命処置方法の情報も記憶されている。
例えば、心電図が、平坦になったり、不規則な動きをしたときは、状態が心停止であり、ＡＥＤの使用が有効等であり、救命処置方法は、ＡＥＤによる除細動や、胸骨圧迫（心臓マッサージ）・人工呼吸が挙げられる。
【００４４】
したがって、装着者状態判断部（プログラム）６２は、装着者情報記憶部６１内の生体情報が装着者状態判断用記憶部６３内の組み合わせ例に当てはめ、心停止等に該当した場合は、状態が心停止であり、ＡＥＤの使用が必要であると判断することができる。また、心停止でＡＥＤの使用が必要である場合の救命処置方法の情報を得ることができる。
次いで、装着者状態判断部（プログラム）６２は、判断済みの装着者状態情報、例えば、心停止でＡＥＤ使用が必要、そして、その救命処置方法等の情報を、図４の判断済み装着者状態情報記憶部６４に記憶する。
このように、装着者状態判断部（プログラム）６２は、特定医療機器使用判断部の一例となっている。
【００４５】
装着者の現在の状態等の判断は、出来るだけ多くの情報に基づき行うべきであるが、この点、本実施の形態では、携帯するため小型化の要請がある端末装置１０でなく、管理サーバ６０にかかる情報、例えば図４の装着者状態判断用情報記憶部６３の情報を蓄積するため、多くの情報を記憶させることができる。
また、このような役割を管理サーバ６０に担わせることで、端末装置１０の大型化を回避しつつ、精度に高い判断を装着者状態判断部（プログラム）６２に行わせることができる。
【００４６】
一方、ＳＴ５で、装着者状態判断部（プログラム）６２が、装着者に対し、特に処置は必要でないと判断した場合は、その旨を端末装置１０に通知して、終了する。
【００４７】
ＳＴ５で「ＹＥＳ」の場合は、ＳＴ６へ進む。ＳＴ６では、装着者の状態を他に通知する必要があるか否かが判断される。
具体的には、図４の通知判断部（プログラム）６５が動作し、判断済み装着者状態情報記憶部６４の疾患名や状態等の情報を参照し、また、図４の通知判断用情報記憶部６６の情報を参照する。この通知判断用情報記憶部６６には、通知すべき疾患名や状態等の情報が記憶されている。
したがって、図４の通知判断部（プログラム）６５は、判断済み装着者状態情報記憶部６４の疾患名や状態等の情報を参照し、この疾患名や状態等が通知判断用情報記憶部６６に記憶されている疾患名や状態等に該当する場合は、通知すべきと判断する。
【００４８】
ＳＴ６で、他に通知すべき状態と判断された場合は、ＳＴ７へ進む。ＳＴ７では、管理サーバ６０から１１９番へ装着者の状態と装着者の現在位置情報を送信し、救急車を要請する。
具体的には、図４の通知判断部（プログラム）６５が、図４の１１９番情報記憶部６７を参照して、その通信アドレスを取得し、サーバ側送受信部１６１を介して、救急車の出動を要請する。その際、判断済み装着者状態情報記憶部６４に記憶されている疾患名や状態等の情報を同時に送信すると共に、装着者情報記憶部６１に記憶されている現在位置情報も同時に送信する。
したがって、救急車は装着者の現在位置や状態を充分把握したうえで向かうので、効率的な救急措置が可能となる。
【００４９】
次いで、ＳＴ８で、通知判断部（プログラム）６５は、図４の緊急連絡先情報記憶部６８を参照し、装着者情報記憶部６１に当該装着者の例えば自宅等の緊急連絡先が登録されている場合は、当該連絡先にメール等で装着者の異状を通知する。
このように、管理サーバ６０は、装着者の状態を判断して、救急要請や自宅等の連絡が必要か否かを判断し、必要な場合は迅速に連絡することができるので、極めて効率よく救命措置を講じることができる。  
なお、１１９番情報記憶部６７の情報が、救急連絡先情報の一例であり、緊急連絡先情報記憶部６８の情報が、緊急連絡先情報の一例である。
【００５０】
次いで、ＳＴ９へ進む。ＳＴ９では、管理サーバ６０から端末本体部２０にＡＥＤ使用の必要性や救命処置方法等の情報が送信される。
具体的には、図４の救命処置方法等送信部６９が動作して、判断済み装着者状態情報記憶部６４に記憶されている疾患名や状態、そしてＡＥＤの使用の必要性、更に救命処置方法に関する情報を端末本体部２０に送信することとなる。
すると、これらの情報を受信した端末本体部２０は、これらの情報を図２の端末側救命処置方法等情報記憶部３３に記憶させる。
【００５１】
そして、ＳＴ１０へ進む。ＳＴ１０では、端末装置１０側で、ＡＥＤの使用が必要か否かを判断する。
具体的には、図２のＡＥＤ使用可否判断部（プログラム）３４が動作し、図２の端末側救命処置方法等情報記憶部３３内の情報を参照して判断する。
すなわち、この端末側救命処置方法等情報記憶部３３内には、管理サーバ６０から受け取ったＡＥＤ使用の必要性に関する情報が記憶されているので、この情報を参照して判断することになる。
【００５２】
ＳＴ１０で、ＡＥＤの使用が必要であると判断した場合は、ＳＴ１１へ進む。ＳＴ１１では、当該端末装置１０の現在位置に最も近いＡＥＤ設置場所を管理サーバ６０に要求する。
具体的には、図３の案内部４０のＡＥＤ設置情報要求部（プログラム）４８が動作して、当該端末装置１０の現在位置に最も近いＡＥＤ設置場所の情報を管理サーバ６０に求める。
【００５３】
すると、ＳＴ１２へ進む。ＳＴ１２では、管理サーバ６０が、当該端末装置１０の現在位置に最も近い位置にあるＡＥＤ設置場所の情報を検索する。
具体的には、図４のＡＥＤ設置場所検索部（プログラム）７０が動作し、装着者情報記憶部６１内に記憶されている現在位置情報に基づき、図４のＡＥＤ設置場所データベース７１を参照して検索する。
すなわち、ＡＥＤ設置場所データベース７１には、全国のＡＥＤ設置場所の位置情報が緯度及び経度情報で登録されているため、現在位置情報の緯度及び経度情報と比べることで、最も近いＡＥＤ設置場所情報を検索することができる。
次いで、ＡＥＤ設置場所検索部（プログラム）７０は、検索されたＡＥＤ設置場所情報を図４のＡＥＤ設置場所記憶部７２に記憶させる。
この検索されたＡＥＤ設置場所情報が、近接特定医療機器設置情報の一例である。
【００５４】
次いで、ＳＴ１３へ進む。ＳＴ１３では、管理サーバ６０が端末本体１０の案内部４０へＡＥＤ設置場所情報を送信する。
具体的には、図４のＡＥＤ設置場所情報送信部（プログラム）７３が動作して、ＡＥＤ設置場所記憶部７２内の端末装置１０に最も近いＡＥＤ設置場所情報である緯度及び経度情報を送信する。
【００５５】
次いで、ＳＴ１４へ進む。ＳＴ１４では、端末装置１０の案内部４０がＡＥＤ設置場所情報を受信する。
具体的には、受信した端末装置１０に最も近いＡＥＤ設置場所情報は、図３のＡＥＤ設置場所情報記憶部４９に記憶される。
【００５６】
次いで、ＳＴ１５へ進む。ＳＴ１５では、図３のロック開閉部１１ａが動作してロック部１１が解除され、図１の端末本体部２０と案内部４０とは相互に分離（離脱）可能な状態となる。
【００５７】
次いで、ＳＴ１６に進む、ＳＴ１６では、図３の案内部４０の探索部５０が動作し、案内部側表示部４５に当該端末装置１０の現在位置と、最も近いＡＥＤ設置場所を地図上に配置する。
具体的には、図３の探索部（プログラム）５０が動作し、図３のＡＥＤ設置場所情報記憶部４９内の端末装置１０と最も近いＡＥＤ設置場所情報、現在位置情報記憶部４７の現在位置情報及び地図情報データベース５１の地図情報に基づき、現在位置とＡＥＤ設置場所を地図上に示す。また、これらの情報は、案内部４０の案内部側表示部４５に表示される。
なお、この地図情報データベース５１には、例えば、日本全国の地図情報が記憶されている。また、探索部（プログラム）５０が、設置場所案内部の一例である。
このように、本実施の形態では、探索部（プログラム）５０の動作に際して、ロック部１１が解除される構成となっている。
【００５８】
これにより、装着者の介護者等は、分離可能な案内部４０を端末本体部２０から分離させ、案内部４０を所持し、この案内部４０の案内部側表示部４５に表示された地図上の現在位置及びＡＥＤ設置場所を視認することで、迅速にＡＥＤ設置場所を認識することができる。
また、介護者等は、かかるＡＥＤ設置場所が現在位置との関係で示されている案内部４０を所持しながらＡＥＤ設置場所に向かって移動することができるので、案内部４０によりＡＥＤ設置場所に案内されることになる。
したがって、介護者等は迅速にＡＥＤを取得することができるので、装着者の救命処置を迅速に行うことができる。
【００５９】
なお、本実施の形態では、案内部４０は、地図上に現在位置とＡＥＤ設置場所を示すことで、介護者等を案内したが、本発明はこれに限らず、地図上に示すと共に、又は、その代わりに音声で介護者等を現在位置からＡＥＤ設置場所に案内してもよい。
【００６０】
ＳＴ１６で、介護者等による移動等が開始されると、次いでＳＴ１７へ進む。ＳＴ１７では、端末本体部２０からＡＥＤ不要情報を受信したか否かを判断する。この工程については、後述する。
【００６１】
ＳＴ１７で、ＡＥＤ不要情報を受信しない場合は、ＳＴ１８へ進む。ＳＴ１８では、ＧＰＳ装置４３で端末装置１０の最新現在位置を測位する。そして、この最新現在位置情報を図３の最新現在位置情報記憶部５２に記憶する。
【００６２】
次いで、ＳＴ１９へ進む。ＳＴ１９では、当該端末装置１０とＡＥＤ設置場所とが一致したか否かを判断する。
具体的には、図３の案内終了判断部（プログラム）５３が動作し、最新現在位置情報記憶部５２の位置情報と、現在位置情報記憶部４７の位置情報を比較して、これらが所定の誤差の範囲内に存在するか否かを判断する。
【００６３】
ＳＴ１９で、一致していない（所定の誤差範囲内に存在しない）場合は、未だ、介護者等がＡＥＤ設置場所に達していないと判断して、ＳＴ２０へ進む。ＳＴ２０では、管理サーバ６０へ最新現在位置情報を送信する。
具体的には図３の最新現在位置情報送信部（プログラム）５４が動作し、最新現在位置情報記憶部５２に記憶されている最新現在位置情報を案内部側送受信部４４を介して送信する。
【００６４】
次いで、ＳＴ２１へ進む。ＳＴ２１では、ＳＴ２０で送信した最新現在位置に最も近いＡＥＤ設置場所情報を管理サーバ６０に要求する。具体的には、図３のＡＥＤ設置情報要求部（プログラム）が動作する。
次いで、ＳＴ２２で、管理サーバ６０は、最新現在位置に最も近いＡＥＤ設置場所を検索し、ＳＴ２３で、管理サーバ６０が端末装置１０の案内部４０に最も近いＡＥＤ設置場所の緯度及び経度情報を送信し、ＳＴ２４で、端末装置１０の案内部４０が当該最も近いＡＥＤ設置場所情報を受信する。
これらＳＴ２２乃至ＳＴ２４の工程は、ＳＴ１２乃至ＳＴ１４とほぼ同様である。但しＳＴ２２等は、ＳＴ１２等と異なり、更新された最新現在位置を使用して、最新のＡＥＤ設置場所を取得する工程となっている。
この最新のＡＥＤ設置場所情報が、最新近接特定医療機器設置情報の一例となっている。
【００６５】
このように、本実施の形態では、ＳＴ１６以下で、介護者等が案内部４０の案内に従い、ＡＥＤ設置場所へ向かっている場合でも、繰り返し、最新現在位置情報をＧＰＳ装置４３から取得し、最新の情報に更新し、この更新された最新現在位置情報から更新された最新のＡＥＤ設置場所情報を案内部４０が取得する構成となっている。
このため、案内部４０を保持して移動等している介護者等の正確な位置を把握することができ、この正確な位置に最も近い場所に設置されているＡＥＤを案内部側表示部４５に表示することができる。したがって、より効率良く介護者等をＡＥＤに案内することができる。
【００６６】
一方、ＳＴ１９で、当該端末装置１０とＡＥＤ設置場所とが一致したと判断された場合は、案内部４０を所持した介護者等が、ＡＥＤ設置場所に到着したと判断し、ＳＴ２５へ進む。
ＳＴ２５では、案内部側表示部４５における当該端末装置１０（現在位置若しくは最新現在位置）とＡＥＤ設置場所（又は最新ＡＥＤ設置場所）の表示を終了する。
これにより、以後は、介護者等は、ＡＥＤを装着者の元へ持参し、ＡＥＤの操作指示に従い、救命処置等を行う。
この際、介護者等は、図２の端末本体部２０の端末側救命処置方法等情報記憶部３３に記憶されている救命処置方法に関する情報を、端末本体部側表示部２７に表示させ、ＡＥＤ等による救命措置の参考とすることができる。
【００６７】
一方、ＳＴ１０でＡＥＤが必要でないと判断された場合やＳＴ１５で案内部４０がロック部１１を解除したとき端末本体部２０は、ＳＴ２６以下のように動作等する。
先ず、ＳＴ２６では、端末本体部２０が、管理サーバ６０に、かかりつけ病院、医師、疾患履歴の検索を要求する。具体的には、図２の病院及び医師等情報検索要求部（プログラム）３５が動作し、かかる要求を管理サーバ６０へ送信する。
【００６８】
次いで、ＳＴ２７へ進む。ＳＴ２７では、管理サーバ６０が、かかりつけ病院、医師、疾患履歴を検索する。具体的には、図４の管理サーバ６０の病院及び医師等情報検索部（プログラム）７４が動作し、病院及び医師等データベース７５を参照して検索する。
この病院及び医師等データベース７５には、装着者（対象者）毎のかかりつけ病院、医師、疾患履歴の情報が登録されている。
このため、病院及び医師等情報検索部（プログラム）７４は、装着者の識別番号等をキーに該当情報を検索する。
そして、検索された装着者のかかりつけ病院、医師、疾患履歴の情報は、管理サーバ６０から端末本体部２０に送信される。
【００６９】
次いで、ＳＴ２８へ進む。ＳＴ２８では、上述の装着者のかかりつけ病院、医師、疾患履歴の情報を端末本体部２０が受信する。
次いで、ＳＴ２９では、受信した端末本体部２０の端末本体部側表示部２７に、当該情報が表示される。具体的には、図２の病院及び医師等情報表示部（プログラム）３６が動作して実行される。
また、この装着者のかかりつけ病院、医師、疾患履歴の情報が、病気関連情報の一例である。
【００７０】
このように、端末本体部側表示部２７に、装着者のかかりつけ病院、医師、疾患履歴等が表示されることにより、例えば、到着した救急救命士等の第３者等に、装着者の情報を適確に知らせることができ、より適切な救命処置を施すことができる。
【００７１】
次いで、ＳＴ３０へ進む。ＳＴ３０では、異状判断部（プログラム）３０により装着者の異状の有無が再び判断される。異状が継続している場合は、ＳＴ２９の表示をし続けるが、異状なし、すなわち、心停止等から蘇生した場合は、ＳＴ３１へ進む。
ＳＴ３１では、端末本体部２０が、案内部４０へＡＥＤ不要情報を送信する。
具体的には、図２のＡＥＤ不要情報発信部（プログラム）３７が動作して、かかるＡＥＤ不要情報を案内部４０に送信する。このＡＥＤ不要情報が特定医療機器不要情報の一例である。
【００７２】
すると、ＳＴ１７へ進む。ＳＴ１７では、端末本体部２０からＡＥＤ不要情報を受信したか否かが判断される。具体的には、図３のＡＥＤ不要情報受信判断部（プログラム）５５が判断する。
そして、ＳＴ１７で、端末本体部２０からＡＥＤ不要情報を受信したと判断した場合は、ＳＴ２５へ進み、案内部４０は、案内部側表示部４５の表示を終了する。
【００７３】
したがって、もはやＡＥＤが必要なくなったときは、端末本体部２０が直ちに、その旨を通知することで、介護者等に無駄な探索を中止させることができる。
このように本実施の形態では、端末本体部２０と案内部４０とが分離した後は、案内部４０がＡＥＤ設置場所を案内している間に、端末本体部２０は、装着者のかかりつけ病院等の情報を取得し、その情報を端末本体部側表示部４５に表示し、救急救命士等に必要な情報を提供することができる。
また、端末本体部２０は、介護者等が案内部４０の案内でＡＥＤを探索している間に継続して、装着者の心電図等の生体情報を取得し続けるので、装着者の状態をモニターし続けることができる。
さらに、このように、端末本体部２０が装着者の生体情報を検出するので、装着者が状態の変化を案内部４０等に知らせることもできる。
【００７４】
本発明は、上述の各実施の形態に限定されない。
【符号の説明】
【００７５】
１・・・ＡＥＤ設置場所案内システム、２・・・通信基地局、３・・・インターネット網、４ａ、４ｂ、４ｃ・・・ＧＰＳ衛星、１０・・・端末本体部、１１・・・ロック部、１１ａ・・・ロック開閉部、２０・・・端末本体部、２１・・・端末本体部側アンテナ、２２・・・端末本体部側送受信部、２３・・・心電図測定器、２４・・・血流情報測定器、２５・・・動脈血酸素飽和度測定器、２６・・・脈波情報測定器、２７・・・端末本体部側表示部、２８・・・アラーム音発生装置、２９・・・端末本体部側制御部、３０・・・異状判断部（プログラム）、３１・・・異状判断用閾値情報記憶部、３２・・・生体情報記憶部、３３・・・端末側救命処置方法等情報記憶部、３４・・・ＡＥＤ使用可否判断部（プログラム）、３５・・・病院及び医師等情報検索要求部（プログラム）、３６・・・病院及び医師等情報表示部（プログラム）、３７・・・ＡＥＤ不要情報発信部（プログラム）、４０・・・案内部、４１・・・案内部側通信用アンテナ、４２・・・案内部側測位用アンテナ、４３・・・ＧＰＳ装置、４４・・・案内部側送受信部、４５・・・案内部側表示部、４６・・・案内部側制御部。４７・・・現在位置情報記憶部、４８・・・ＡＥＤ設置情報要求部（プログラム）、４９・・・ＡＥＤ設置場所情報記憶部、５０・・・探索部（プログラム）、５１・・・現在位置情報及び地図情報データベース、５２・・・最新現在位置情報記憶部、５３・・・案内終了判断部（プログラム）、５４・・・最新現在位置情報送信部（プログラム）、５５・・・ＡＥＤ不要情報受信判断部（プログラム）、６０・・・管理サーバ、６３・・・装着者状態判断用情報記憶部、６４・・・判断済み装着者状態情報記憶部、６５・・・通知判断部（プログラム）、６６・・・通知判断用情報記憶部、６７・・・１１９番情報記憶部、６８・・・緊急連絡先情報記憶部、６９・・・救命処置方法等送信部、７０・・・ＡＥＤ設置場所検索部（プログラム）、７１・・・ＡＥＤ設置場所データベース、７２・・・ＡＥＤ設置場所記憶部、７３・・・ＡＥＤ設置場所情報送信部（プログラム）、７４・・・病院及び医師等情報検索部（プログラム）、７５・・・病院及び医師等データベース、１６１・・・サーバ側送受信部、１６２・・・サーバ側制御部
【図１】
2011066861.tif 000003
【図２】
2011066861.tif 000004
【図３】
2011066861.tif 000005
【図４】
2011066861.tif 000006
【図５】
2011066861.tif 000007
【図６】
2011066861.tif 000008
【図７】
2011066861.tif 000009